(57)【特許請求の範囲】
【請求項１】
四角形をした板状の載置部に上面側が上方に開口した凹部となり且つ下面側が凹部にはめ込むことができる下方に突出した突部となった複数の脚部を垂設し、載置部の下面側の脚部間にフォーク差込み部を形成した合成樹脂製のパレットにおいて、縦方向または横方向のいずれか一方において隣接する脚部の下面部間に３本の合成樹脂製の細長い底面ボードをそれぞれ架設してそれぞれ別体の係止具により取付け、各底面ボードの長手方向と直交する方向の両側面を下に行くほど外側となるように傾斜した傾斜面とし、各底面ボードの上面の裏面側及び傾斜面の裏面側にそれぞれリブを設けて成ることを特徴とする運搬用パレット。
【発明の詳細な説明】
【０００１】
【発明の属する技術分野】
本発明は、スキッドパレットと称されるシート状の運搬用パレットに関するものである。
【０００２】
【従来の技術】
従来からスキッドパレットと称されるシート状の運搬用パレットが知られている。このスキッドパレットと称されるシート状の運搬用パレットは、ポリプロピレン又は再生ポリプロピレンを射出成形法やプレス成形法により一体的に形成したものであり、複数枚積み重ねて嵩を低くして保管、運搬し、使用時には一枚ずつフォークリフトによりリフトアップして使用されるものである。このため、パレットは、四角形をした板状の載置部に上面側が上方に開口した凹部となり且つ下面側が凹部にはめ込むことができる下方に突出した突部となった複数の脚部を垂設することで構成してあり、保管、運搬する際には、下段のパレットの脚部の上面側の上方に開口した凹部に、上段のパレットの脚部の下面部の下方に突出した突部を嵌め込んで積み重ね高さを低くするようにしている。また、上記パレットにおいては載置部の下面側の脚部間がフォーク差込み部となっている。
【０００３】
上記のようなスキッドパレットと称されるシート状の運搬用パレットはその構造上、強度があまり強くないという問題がある。
【０００４】
また、パレット上に載置物を載置し、このパレットに載置した載置物の上に更に、載置物を載置したパレットを積み重ねるというように多段に積み重ねる場合があるが、この場合、脚部の下面部からのみ集中して上段の載置物の荷重が下段の載置物の上面にかかり、下段の載置物が集中してかかる荷重のために凹んだり、破損したりしやすく、また、安定した積み重ねができないという問題がある。
【０００５】
また、脚部間に形成されたフォーク差込み部にフォークを差し込んで持ち上げた際、載置物の重量が重いと撓み易く、載置物が滑り落ちたり、荷崩れしたり、あるいはパレットが変形したり破損したりし易いという問題がある。
【０００６】
【発明が解決しようとする課題】
本発明は上記の従来例の問題点に鑑みて発明したものであって、スキッドパレットと称されるシート状の運搬用パレットの脚部の補強ができ、また、パレットに載置物を載置した状態で多段積みした際に、下段の載置物に脚部が食い込んだり、下段の載置物を破損したりするのを防止することができ、また、フォークを差し込んで持ち上げた際に、載置物の重量が重くても撓みにくく、また、底面ボードを取り外すことで、複数枚積み重ねて嵩を低くして保管、運搬することができ、また、フォークを底面ボードを脚部間に架設して撓みやすくしたものにおいてフォークを脚部間に差し込む際に底面ボードと無関係にフォークを挿入することが可能なフォーク差し込み法を採用することができ、また、底面ボードの強度を簡単な構造で向上させて、フォークを挿入した場合における運搬用パレットの撓みを防止でき、更に、運搬用パレットのサイズに対応して簡単に底面ボードを提供でき、また、底面ボードの長手方向と直交する方向から隣接する脚部間にフォークを差し込んでも底面ボードに邪魔されることなくフォークの挿入ができる運搬用パレットを提供することを課題とするものである。
【０００７】
【課題を解決するための手段】
上記課題を解決するために、本発明の運搬用パレットは、四角形をした板状の載置部１に上面側が上方に開口した凹部２となり且つ下面側が凹部２にはめ込むことができる下方に突出した突部３となった複数の脚部４を垂設し、載置部１の下面側の脚部４間にフォーク差込み部６を形成した合成樹脂製のパレット１１において、縦方向または横方向のいずれか一方において隣接する脚部４の下面部間に３本の合成樹脂製の細長い底面ボード７をそれぞれ架設してそれぞれ別体の係止具９により取付け、各底面ボード７の長手方向と直交する方向の両側面を下に行くほど外側となるように傾斜した傾斜面７ｂとし、各底面ボード７の上面の裏面側及び傾斜面７ｂの裏面側にそれぞれリブを設けて成ることを特徴とするものである。このように縦方向または横方向のいずれか一方において隣接する脚部４の下面部間に架設する底面ボード７を取付けることで、脚部４の下面部の補強をしてパレット１１としての強度を向上させ、また、脚部４の下面部間に架設される底面ボード７によりパレット１１の撓みを防止でき、特に底面ボード７を架設した部分において底面ボード７の架設方向と直交するように脚部４間のフォーク差込み部６にフォークリフトのフォークを挿入して持ち上げることで、パレット１１がフォークと直交する方向において撓むのが防止できるものである。また、底面ボード７と平行な方向にフォークを差し込む場合には、底面ボード７と無関係に（つまり底面ボード７を架設していない場合と同様に）フォークを挿入することが可能となるものであって、フォークの挿入が容易にできるものである。しかも、底面ボード７の長手方向と直交する方向の両側面を下に行くほど外側となるように傾斜した傾斜面７ｂとし、各底面ボード７の上面の裏面側及び傾斜面７ｂの裏面側にそれぞれリブを設けることで、底面ボード７の長手方向と直交する方向から隣接する脚部４間にフォークを差し込んでも底面ボード７に邪魔されることなくフォークの挿入ができ、また、底面ボード７の上面の裏面側及び傾斜面７ｂの裏面側にそれぞれリブにより、傾斜面７ｂを設けた底面ボード７を梁構造として、底面ボード７の脚部４への架設方向の強度を向上させてパレット１１の撓みを防止することができるものである。
【００１０】
【発明の実施の形態】
本発明を以下添付図面に示す実施形態に基づいて詳述する。
【００１１】
パレット１１はスキッドパレットと称されるシート状のパレットであり、ポリプロピレン又は再生ポリプロピレン等の合成樹脂を射出成形法やプレス成形法により一体成形して形成してある。このパレット１１は図１０乃至図１４に示すように、平面視正方形状又は長方形状をした四角形の板状の載置部１に上面側が上方に開口した凹部２となり且つ下面側が凹部２にはめ込むことができる形状の下方に突出した突部３となった形状の複数の脚部４を縦横に複数列、複数行垂設して構成してある。すなわち、脚部４は平面視における形状が下に行くほど小さくなっていて、凹部２に突部３をはめ込むことができるようにしてある。脚部４には凹部２内において凹部２の対向する一対の側面部からそれぞれ第２の突部３ａが形成してあり、この第２の突部３ａは突部３の外面側において側方及び下方に開口するように凹んでいてこの凹みが第２の凹部２ａとなっている。また、凹部２の底（つまり脚部４の下面部）の中心部には孔８が設けてあり、また、凹部２内には上記第２の突部３ａよりも低い支持リブ１２が突設してある。ここで、図に示す実施形態では脚部４が縦横にそれぞれ３列、３行、合計９個設けてあり、外周側における８個の脚部４においては一対の第２の突部３ａの突設位置が隣接する脚部４において９０°異なった位置となっている。
【００１２】
図１２にはパレット１１の下面図が示してあり、パレット１１の下面において脚部４間がフォーク差込み部６となっている。
【００１３】
そして、パレット１１の縦方向または横方向のいずれか一方において隣接する脚部４の下面部間に底面ボード７を底面ボード７とは別体の係止具９により着脱自在に取付けてある。
【００１４】
本発明に使用する底面ボード７は図１５に示すようなもので、平面視帯状をした細長い扁平筒状をしており、合成樹脂の押出し成形により形成してあり、合成樹脂の押し出し成形により形成された押し出し成形品をパレット１１のサイズに対応した長さで長手方向（押し出し方向）と直交する方向に切断することで、目的とするサイズのパレット１１に使用する底面ボード７を形成するものである。ここで、底面ボード７の押し出し方向である長手方向にはリブ７ａが長手方向に連続して形成されて長手方向と直交する方向に対する撓みに対して強い強度の梁構造となるものである。また底面ボード７の長手方向と直交する方向の両側面が下に行くほど外側となるように傾斜した傾斜面７ｂとなっている。更に底面ボード７の中央部は長手方向の全長にわたり下方に開口する凹所７ｃが設けてあり、凹所７ｃの両側面部には対向して長手方向の全長にわたる係止突部７ｅが突設してある。上記のように押し出し成形により形成された底面ボード７の上面部の長手方向の所定位置には押し出し成形後に複数の孔７ｄが形成してあり、この孔７ｄは上記凹所７ｃの幅方向の中央部に開口している。孔７ｄの穿孔位置はパレット１１の縦方向又は横方向に底面ボード７を架設するに当たって、縦方向又は横方向に隣接して設けた各脚部４の中心に孔７ｄが位置するように穿孔するものである。したがって、パレット１１のサイズや脚部４間の距離により穿孔する孔７ｄの位置が決定されるものである。
【００１５】
係止具９は図１６に示すようなもので、内部が少なくとも下方に開口した凹溝９ａとなった筒状をした本体部９ｂの上部に本体部９ｂよりも小径の筒状をしたはめ込み突部９ｃが一体に突設してあり、本体部９ｂの外周部には環状をした係止溝部９ｄが設けてある。また、はめ込み突部９ｃの上端部の外端部には上程内側となるように傾斜したテーパ部を有する係止突起９ｅが設けてあり、また筒状をしたはめ込み突部９ｃは複数の割り溝９ｆが上端部から下方に向けて形成してあって係止突起９ｅを有するはめ込み突部９ｃが弾性変形をしやすいようになっている。
【００１６】
上記構成の係止具９ははめ込み突部９ｃを底面ボード７に設けた孔７ｄに凹所７ｃ側からはめ込んで、係止突部７ｅに係止溝部９ｄを係止することで底面ボード７に係止具９を取付けてある。ここで、はめ込み突部９ｃを孔７にはめ込む際、前述のように割り溝９ｆを設けることで、はめ込み突部９ｃを弾性変形させて容易に孔７ｄに通すことができるものである。係止具９を底面ボード７に取付けた状態で、図１７に示すように係止具９のはめ込み突部９ｃが底面ボード７の上面から上方に突出するものであり、また、係止具９の本体部９ｂの下端部が凹所７ｃの下端又は凹所７ｃの下端よりも若干上に位置するようになっている。そして、係止具９を取付けた底面ボード７を図１８のように上下に多段に積み重ねた状態で、下段の底面ボード７の上面に上段の底面ボード７の下面が載置され、下段の底面ボード７の上面より上方に突出したはめ込み突部９ｃがちょうど上段の底面ボード７に取付けた係止具９の凹溝９ａ内にはめ込まれ、これにより係止具９のはめ込み突部９ｃを突設した底面ボード７を上下多段に嵩低く積み重ねることができるようになっている。この状態では下段のはめ込み突部９ｃが上段の凹溝９ａにはめ込まれることで、上下に積み重ねた底面ボード７が横にずれるのが防止できて安定した積み重ねができるようになっている。このようにして係止具９を取付けた底面ボード７を積み重ねて搬送、保管しておくものである。
【００１７】
パレット１１の縦方向または横方向のいずれか一方において隣接する脚部４の下面部間に底面ボード７を別体の係止具９により着脱自在に取付けるに当たっては、上記のようにして構成した別体の係止具９を取付けた底面ボード７を、パレット１１の縦方向または横方向のいずれか一方において隣接する脚部４の下面部間に配置して底面ボード７の上面を脚部４の下面に当接すると共に、係止具９の上面から上方に突出しているはめ込み突部９ｃを脚部４の孔８に嵌め込んで孔８の上面側の縁部にはめ込み突部９ｃに設けた係止突起９ｅを係止し、これによりパレット１１の隣接する脚部４に底面ボード７が着脱自在に取付けられるものである。この場合、前述のように割り溝９ｆを設けることで、はめ込み突部９ｃを弾性変形させて容易に孔８に通して係止できるものである。
【００１８】
しかして、上記のような構成の運搬用パレットにおいて、使用しない時にはパレット１１に底面ボード７を取付けない状態で、下段の空のパレット１１の脚部４の上面側の上方に開口した凹部２に、上段の空のパレット１１の脚部４の下面部の下方に突出した突部３を嵌め込んで積み重ねるというように上下に多段に空のパレット１１を積み重ねるものであり、このようにすることで、上下の積み重ね高さを低くして嵩を低くでき、この状態で保管したり、運搬したりするものである。
【００１９】
ここで、下段の空のパレット１１の脚部４の上面側の上方に開口した凹部２に、上段の空のパレット１１の脚部４の下面部の下方に突出した突部３を嵌め込んで積み重ねるに当たっては、図２２に示すように、下段のパレット１１の脚部４の凹部２内の支持リブ１２の上端に上段のパレット１１の脚部４の下面が載置される場合と、図２３に示すように、下段のパレット１１に対して上段のパレット１１を平面視で９０°回転した状態で、下段のパレット１１の脚部４の凹部２内の第２の突部３ａの上面に上段のパレット１１の脚部４の下面が載置される場合とがある。
【００２０】
一方、使用に当たっては、前述のようにしてパレット１１の縦方向または横方向のいずれか一方において隣接する脚部４の下面部間に底面ボード７を別体の係止具９により着脱自在に取付けた状態で使用するものである。このように底面ボード７を取付けたパレット１１の載置部１の上に載置物Ａを載置し、この状態で、フォーク差込み部６にフォークリフトのフォークＢを差し込んでパレット１１を持ち上げて移動するのであるが、この際、脚部４の下面部間に架設される底面ボード７によりパレット１１の撓みが防止されるものである。特に、図１９に示すように、底面ボード７を架設した部分において底面ボード７の架設方向と直交するように脚部４間のフォーク差込み部６にフォークＢを挿入して持ち上げることで、スキッドパレットと称される合成樹脂製のシート状のパレット１１が図１９の矢印のようにフォークＢと直交する方向において撓むのを上記底面ボード７により防止することができるものである。この結果、パレット１１の載置部１上に重量の重い載置物Ａを載置してもパレット１１が撓んで載置物Ａが滑り落ちたり、荷崩れしたりすることがないものである。なお、底面ボード７を架設した部分において底面ボード７の架設方向と直交するように脚部４間のフォーク差込み部６にフォークＢを挿入する際、底面ボード７の側部に設けた傾斜面７ｂがガイドとなってスムーズにフォークＢを底面ボード７の上方のフォーク差込み部６に差し込むことができるものである。
【００２１】
また、縦方向または横方向のいずれか一方において隣接する脚部４の下面部間に架設される底面ボード７を底面ボードとは別体の係止具９により着脱自在に取付けてあるので、図２０のように、底面ボード７の架設方向と平行な方向のフォーク差込み部６にフォークＢを挿入して持ち上げる場合には撓み防止のために底面ボード７を架設したものであっても、この場合にフォークＢを差し込むフォーク差し込み部６には底面ボード７が横切っておらず、したがって、この際は底面ボード７にフォークＢが当たることがなくて、底面ボード７に関係無くフォークＢの差し込みができるものである。
【００２２】
また、図２１には載置物Ａを載置したパレット１１を上下に多段に積み上げた状態を示しており、この場合、下段のパレット１１に載置した載置物Ａの上に、載置物Ａを載置した上段のパレット１１が載置されるのであるが、下段の載置物Ａの上面部に上段のパレット１１の脚部４の下面部が直接当たるのではなく、隣接する脚部４の下面部に架設して取付けた底面ボード７が当たることになり、上段のパレット１１からの荷重が底面ボード７から下段の載置物Ａの上面に当たり、これにより、下段の載置物Ａの上面部の狭い部位に集中して上段の荷重がかからず、広い面積にわたって分散されて荷重がかかることになり、下段の載置物Ａが凹んだり、破損したりせず、また、このように下段の載置物Ａが凹んだり、破損したりしないので、上段のパレット１１が横ずれしたり、滑り落ちたりするというおそれがないものである。
【００２３】
また、パレット１１の使用が終わるとパレット１１から底面ボード７を取り外し、前述のように、パレット１１のみを上下に多段にはめ込んで嵩を低くして保管したり、運搬したりするものである。
【００２４】
なお、上記した実施形態においては、底面ボード７を押し出し成形により形成した例を示したが、ブロー成形、回転成形等により形成した底面ボード７を用いてもよいものである。
【００２５】
【発明の効果】
本発明の請求項１記載の発明にあっては、上述のように、四角形をした板状の載置部に上面側が上方に開口した凹部となり且つ下面側が凹部にはめ込むことができる下方に突出した突部となった複数の脚部を垂設し、載置部の下面側の脚部間にフォーク差込み部を形成した合成樹脂製のパレットにおいて、縦方向または横方向のいずれか一方において隣接する脚部の下面部間に架設される底面ボードを別体の係止具により着脱自在に取付けてあるので、底面ボードにより脚部の下面部の補強ができるものであり、また、脚部の下面部間に架設される底面ボードによりパレットの撓みを防止でき、特に底面ボードを架設した部分において底面ボードの架設方向と直交するように脚部間のフォーク差込み部にフォークリフトのフォークを挿入して持ち上げる場合には、パレットがフォークと直交する方向において撓むのが防止できて、パレットの破損を防止すると共にパレット上に載置した載置物が滑り落ちたり、荷崩れするのが防止できるものであり、また、底面ボードと平行な方向にフォークを差し込む場合には、底面ボードと無関係に（つまり底面ボードを架設していない場合と同様に）フォークを挿入することが可能となるものであって、フォークの挿入が容易にできるものである。しかも、底面ボードの長手方向と直交する方向の両側面を下に行くほど外側となるように傾斜した傾斜面とし、各底面ボードの上面の裏面側及び傾斜面の裏面側にそれぞれリブを設けるので、底面ボードの長手方向と直交する方向から隣接する脚部間にフォークを差し込んでも底面ボードに邪魔されることなくフォークの挿入ができてフォークの挿入が容易に行えるものであり、また、底面ボードの上面の裏面側及び傾斜面の裏面側にそれぞれリブにより、傾斜面を設けた底面ボードを梁構造として、底面ボードの脚部への架設方向の強度を向上させてパレットの撓みを防止することができるものである。
【図面の簡単な説明】
【図１】本発明のパレットに底面ボードを取付けた状態の側面図である。
【図２】同上の正面図である。
【図３】同上の底面図である。
【図４】同上の平面図である。
【図５】同上の図４のＡーＡ線の断面図である。
【図６】同上の図４のＢーＢ線の断面図である。
【図７】同上の図４のＣーＣ線の断面図である。
【図８】同上の図４のＤーＤ線の断面図である。
【図９】同上の要部拡大断面図である。
【図１０】同上のパレットの正面図である。
【図１１】同上の側面図である。
【図１２】同上の底面図である。
【図１３】同上の平面図である。
【図１４】同上の断面図である。
【図１５】同上に用いる底面ボードを示し、（ａ）は断面図であり、（ｂ）は一部切欠平面図である。
【図１６】同上に用いる係止具を示し、（ａ）は下面図であり、（ｂ）は側面図であり、（ｃ）は断面図である。
【図１７】同上の底面ボードに係止具を取付けた状態の断面図である。
【図１８】同上の係止具を取付けた底面ボードを積み重ねた状態の断面図である。
【図１９】本発明の底面ボードを取付けたパレットに載置物を載置した状態で底面ボードと直交方向にフォークを挿入して持ち上げた状態を示す説明図である。
【図２０】本発明の底面ボードを取付けたパレットに底面ボードと平行方向にフォークを挿入する状態を示す説明図である。
【図２１】本発明の底面ボードを取付けたパレットに載置物を載置して多段に積み上げた状態の説明図である。
【図２２】本発明の底面ボードを取外したパレットの積み重ねを示す断面図である。
【図２３】同上の底面ボードを取外したパレットの他の積み重ねを示す断面図である。
【符号の説明】
１  載置部
２  凹部
３  突部
４  脚部
６フォーク差込み部
７  底面ボード
７ａ  リブ
７ｂ  傾斜面
９  係止具
１１  パレット
【図１】
0004216402.tif 000002
【図２】
0004216402.tif 000003
【図３】
0004216402.tif 000004
【図４】
0004216402.tif 000005
【図５】
0004216402.tif 000006
【図６】
0004216402.tif 000007
【図７】
0004216402.tif 000008
【図８】
0004216402.tif 000009
【図９】
0004216402.tif 000010
【図１０】
0004216402.tif 000011
【図１１】
0004216402.tif 000012
【図１２】
0004216402.tif 000013
【図１３】
0004216402.tif 000014
【図１４】
0004216402.tif 000015
【図１５】
0004216402.tif 000016
【図１６】
0004216402.tif 000017
【図１７】
0004216402.tif 000018
【図１８】
0004216402.tif 000019
【図１９】
0004216402.tif 000020
【図２０】
0004216402.tif 000021
【図２１】
0004216402.tif 000022
【図２２】
0004216402.tif 000023
【図２３】
0004216402.tif 000024